(57)【要約】【課題】通信データに対する応答信号を受信できなかった場合に、通信データの再受信の信頼性を向上させることが可能な無線通信装置を得ること。【解決手段】通信端末に通信データを送信するとともに通信端末から送出される応答信号を受信する無線通信装置１０１において、応答信号の受信の有無を判断するＡＣＫ／ＮＡＣＫ／ＤＴＸ判定部２５と、応答信号を受信できなかったと判断した場合にその原因を判別する電力制御切替部２８と、通信データが通信端末へ到達せずに応答信号が送信されなかったと判断した場合に、通信データを送信する際の送信電力を増加させるよう制御する送信電力制御部１９と、通信データは通信端末へ到達して通信端末からの応答信号を受信できなかったと判断した場合に、応答信号を送信する際の送信電力を増加させる指示を通信端末に送信する上りリンク電力制御ビット生成部１８と、を備える。【選択図】        図２
2006262357.tif 000002
【特許請求の範囲】
【請求項１】
所定の通信端末に通信データを送信するとともに、前記通信データを受信した前記通信端末から前記通信データの受信誤りの有無に応じて送出される応答信号を受信し、前記応答信号に応じて前記通信端末との無線通信を行う無線通信装置において、
前記応答信号を前記通信端末から受信できたか否かを判断する応答信号判断部と、
前記応答信号判断部が前記応答信号を前記通信端末から受信できなかったと判断した場合に、前記応答信号を受信できなかった原因を判別する原因判別部と、
前記原因判別部が、前記通信データが前記通信端末へ到達せずに前記通信端末から前記応答信号が送信されなかったと判断した場合に、前記通信端末へ前記通信データを送信する際の送信電力を増加させるよう制御する電力制御部と、
前記原因判別部が、前記通信データは前記通信端末へ到達して前記通信端末から送信された前記応答信号を受信できなかったと判断した場合に、前記応答信号を送信する際の送信電力を増加させる指示を前記通信端末に電力制御指示情報として送信する指示部と、
を備えることを特徴とする無線通信装置。
【請求項２】
前記通信端末から送信される、前記通信端末が通信データを受信した際の回線品質に関する回線品質情報内の回線品質値を抽出し、前記回線品質値に基づいて前記回線品質情報を前記通信端末から受信できた否かを判定する回線品質判定部をさらに備え、
前記回線品質判定部が前記回線品質情報を所定のタイミングで受信できたと判定した場合に、前記原因判別部は前記通信データが前記通信端末へ到達せずに前記通信端末から前記応答信号が送信されなかったと判断し、
前記回線品質判定部が前記回線品質情報を所定のタイミングで受信できなかったと判定した場合に、前記原因判別部は前記通信データは前記通信端末へ到達して前記通信端末から送信された前記応答信号を受信できなかったと判断することを特徴とする請求項１に記載の無線通信装置。
【請求項３】
前記回線品質判定部が抽出した回線品質値の履歴を記憶する品質履歴記憶部と、
前記回線品質値の履歴に基づいて算出される過去の回線品質値と、前記応答信号判断部が前記応答信号を前記通信端末から受信できなかったと判断した際に前記回線品質判定部が所定のタイミングで抽出した現在の回線品質値とを比較する品質値比較部と、
をさらに備え、
前記品質値比較部が前記現在の回線品質値は前記過去の回線品質値よりも所定値以上小さいと判断した場合に、前記原因判別部は前記通信データが前記通信端末へ到達せずに前記通信端末から前記応答信号が送信されなかったと判断し、
前記品質値比較部が前記現在の回線品質値と前記過去の回線品質値の差は所定値より小さいと判断した場合または前記現在の回線品質値は前記過去の回線品質値よりも所定値以上大きいと判断した場合に、前記原因判別部は前記通信データは前記通信端末へ到達して前記通信端末から送信された前記応答信号を受信できなかったと判断することを特徴とする請求項１または２に記載の無線通信装置。
【請求項４】
前記応答信号判断部が前記応答信号を前記通信端末から受信できなかったと判断した場合の前記応答信号の値を抽出して、前記応答信号の値が所定の範囲内であるか否かを判定する応答信号判定部をさらに備え、
前記原因判別部は、前記応答信号判定部の判定結果に基づいて前記応答信号を受信できなかった原因を判別することを特徴とする請求項１〜３のいずれか１つに記載の無線通信装置。
【請求項５】
前記通信端末から送信される所定の信号に基づいてＳＩＲ値を算出するＳＩＲ算出部と、
前記ＳＩＲ算出部が算出したＳＩＲ値の履歴を記憶するＳＩＲ履歴記憶部と、
前記ＳＩＲ値の履歴に基づいて算出される過去のＳＩＲ値と、前記応答信号判断部が前記応答信号を前記通信端末から受信できなかったと判断した際に前記ＳＩＲ算出部が所定のタイミングで算出した現在のＳＩＲ値とを比較するＳＩＲ比較部と、
をさらに備え、
前記ＳＩＲ比較部が前記現在のＳＩＲ値と前記過去のＳＩＲ値の差は所定値より小さいと判断した場合または前記現在のＳＩＲ値は前記過去のＳＩＲ値よりも所定値以上大きいと判断した場合に、前記原因判別部は前記通信データが前記通信端末へ到達せずに前記通信端末から前記応答信号が送信されなかったと判断し、
前記ＳＩＲ値比較部が前記現在のＳＩＲ値は前記過去のＳＩＲ値よりも所定値以上小さいと判断した場合に、前記原因判別部は前記通信データは前記通信端末へ到達して前記通信端末から送信された前記応答信号を受信できなかったと判断することを特徴とする請求項１〜４のいずれか１つに記載の無線通信装置。
【請求項６】
前記通信端末から送信される所定の信号の受信誤りに基づいて受信誤り率または受信誤り回数を算出する誤受信算出部と、
前記誤受信算出部が算出した受信誤り率または受信誤り回数の履歴を誤受信値履歴として記憶する誤受信履歴記憶部と、
前記誤受信値履歴に基づいて算出された過去の誤受信値と、前記応答信号判断部が前記応答信号を前記通信端末から受信できなかったと判断した際に前記誤受信算出部が所定のタイミングで算出した現在の受信誤り率または受信誤り回数である現在の誤受信値とを比較する誤受信値比較部と、
をさらに備え、
前記誤受信値比較部が前記現在の誤受信値と前記過去の誤受信値の差は所定値より小さいと判断した場合または前記現在の誤受信値が前記過去の誤受信値よりも所定値以上小さいと判断した場合に、前記原因判別部は前記通信データが前記通信端末へ到達せずに前記通信端末から前記応答信号が送信されなかったと判断し、
前記誤受信値比較部が前記現在の誤受信値は前記過去の誤受信値よりも所定値以上大きいと判断した場合に、前記原因判別部は前記通信データは前記通信端末へ到達して前記通信端末から送信された前記応答信号を受信できなかったと判断することを特徴とする請求項１〜５のいずれか１つに記載の無線通信装置。
【請求項７】
前記通信端末へ通信データを送信する際の電力制御に関する制御指示を、前記通信端末から受信した通信データから抽出する制御指示抽出部をさらに備え、
前記原因判別部は、前記制御指示抽出部が抽出した制御指示に基づいて前記応答信号を受信できなかった原因を判別することを特徴とする請求項１〜６のいずれか１つに記載の無線通信装置。
【請求項８】
所定の無線通信装置から送信される通信データに応じて前記無線通信装置に応答信号を送信するとともに、前記応答信号を受信した前記無線通信装置から前記応答信号の有無に応じて再送信される通信データを受信しながら前記無線通信装置と無線通信を行う通信端末において、
前記無線通信装置から再送信された通信データを検出する再送信検出部と、
前記再送信検出部が前記再送信された通信データを検出すると、前記応答信号を前記無線通信装置に再送信する際の送信電力を増加させるよう制御する制御部と、
を備えることを特徴とする通信端末。
【発明の詳細な説明】
【技術分野】
【０００１】
本発明は、データ送信時の送信電力を制御しながら通信を行う無線通信装置および通信端末に関するものである。
【背景技術】
【０００２】
近年、通信技術の発展に伴い、無線通信の分野においても高速かつ確実にデータ通信を行うことが要求されている。また、無線通信においては低電力で効率よくデータ通信を行なうことが望まれている。
【０００３】
例えば、高速な無線通信を行う技術として、第３．５世代移動体通信がある。この第３．５世代移動体通信は、例えば３ＧＰＰ（third generation partnership project）においてパケットデータの下りリンク無線通信を高速に行うための規格（ＨＳＤＰＡ（High Speed Downlink Packet Access））が定められている（例えば、非特許文献１）。
【０００４】
ＨＳＤＰＡにおいては、制御チャネルであるＨＳ―ＳＣＣＨ（High Speed Shared Control Channel）及びパケットデータチャネルであるＨＳ−ＰＤＳＣＨ（High Speed Physical Downlink Shared Channel）を用いて、制御データ及びパケットデータを基地局から端末に送信（パケット伝送）する。
【０００５】
端末は、ＨＳ−ＳＣＣＨの受信によって得られた制御パラメータに基づいてＨＳ−ＰＤＳＣＨを受信し、その受信結果に応じて、ＨＳ−ＰＤＳＣＨ受信の７．５スロット後に上りリンクチャネルであるＨＳ−ＤＰＣＣＨ（High Speed Dedicated Physical Control Channel）を用いて基地局側にＡＣＫ（acknowledgement）／ＮＡＣＫ（Negative Acknowledgment）信号（応答信号）を返している。すなわち、端末は、ＨＳ−ＰＤＳＣＨ復調を正しく行えた場合は基地局にＡＣＫ信号を送出し、正しく復調できなかった場合は基地局にＮＡＣＫ信号を送出する。
【０００６】
また、端末は下りリンクパイロットチャネルであるＣＰＩＣＨ（Common Pilot Channel）を用いて下りリンクの品質測定を行い、回線品質情報としてＣＱＩ（Channel Quality Indicator）を基地局に定期的に送出している（例えば、特許文献１）。
【０００７】
このようなＨＳＤＰＡにおいては、例えば基地局側に端末からのＡＣＫ／ＮＡＣＫ信号が到達しない場合がある。このような場合には、基地局は端末にデータを再送信する必要がある。基地局が端末に所定のデータを再送信する際に、データ送信時の電力制御を行なう技術がある。
【０００８】
特許文献２に記載の通信装置は、受信された信号が、通信相手装置におけるデータの受信結果を表す信号（応答信号）である場合に、その信号の信頼度を求める信頼度算出手段と、前記信頼度算出手段の算出結果に基づいて、前記受信された信号が通信相手装置における受信の成功を表す肯定応答信号であるか、又は受信の失敗を表す否定応答信号であるかを判定する判定手段と、前記判定手段の判定結果に基づいて、前記データの再送制御を行う再送制御手段と、を具備している。
【０００９】
【非特許文献１】３ＧＰＰ規格  ＴＳ２５．２１１  Ｖ５．５．０（２００３−０９）
【特許文献１】特開２００４−６４６９１号公報  第２１頁、第１２図
【特許文献２】特開２００３−２８３４７４号公報
【発明の開示】
【発明が解決しようとする課題】
【００１０】
ＨＳＤＰＡ通信では、本来端末からＡＣＫ／ＮＡＣＫが送出されるタイミングにおいて、基地局にＡＣＫもＮＡＣＫも届かない状態（無信号状態であるＤＴＸ（Discontinuous Transmission））が起こり得る。この場合の原因として、例えば以下の２つが考えられる。
（ａ）下りリンクにおいて、端末側が雑音等によりＨＳ−ＳＣＣＨを受信できなかった場合。この場合、端末はＨＳ−ＰＤＳＣＨを受信できないため、ＡＣＫもＮＡＣＫも送出しない。
（ｂ）上りリンクにおいて、基地局が端末の送出したＡＣＫまたはＮＡＣＫ信号を雑音等により受信できなかった場合。
【００１１】
これら（ａ）や（ｂ）の場合、基地局では端末がパケットを正しく受信しているか否かを判断できないため、端末側で受信するパケットの欠落を防ぐためにＤＴＸに該当するパケットを基地局から端末に再送信する必要がある。このとき送信電力を高く設定することによって送受信の信頼性を向上させることができる。
【００１２】
しかしながら、上記１つめ〜３つめの従来技術では基地局において上記（ａ）と（ｂ）のどちらが起こっているかを判断できなかったため、下りリンクと上りリンクどちらの送信電力を上げる設定を行えばよいかが分からないといった問題があった。このため、通信データを再送信する際に原因に応じた効率の良い電力設定によって通信データを送信できず、通信データの再送信の信頼性が低いといった問題があった。
【００１３】
本発明は、上記に鑑みてなされたものであって、通信データに対する応答信号を受信できなかった場合に、通信データの再送受信の信頼性を向上させることが可能な無線通信装置および通信端末を得ることを目的とする。
【課題を解決するための手段】
【００１４】
上述した課題を解決し、目的を達成するために、本発明は、所定の通信端末に通信データを送信するとともに、前記通信データを受信した前記通信端末から前記通信データの受信誤りの有無に応じて送出される応答信号を受信し、前記応答信号に応じて前記通信端末との無線通信を行う無線通信装置において、前記応答信号を前記通信端末から受信できたか否かを判断する応答信号判断部と、前記応答信号判断部が前記応答信号を前記通信端末から受信できなかったと判断した場合に、前記応答信号を受信できなかった原因を判別する原因判別部と、前記原因判別部が、前記通信データが前記通信端末へ到達せずに前記通信端末から前記応答信号が送信されなかったと判断した場合に、前記通信端末へ前記通信データを送信する際の送信電力を増加させるよう制御する電力制御部と、前記原因判別部が、前記通信データは前記通信端末へ到達して前記通信端末から送信された前記応答信号を受信できなかったと判断した場合に、前記応答信号を送信する際の送信電力を増加させる指示を前記通信端末に電力制御指示情報として送信する指示部と、を備えることを特徴とする。
【００１５】
この発明によれば、応答信号を通信端末から受信できなかったと判断した場合に応答信号を受信できなかった原因を判別するので、判別した原因に応じて通信端末へ通信データを送信する際の送信電力を増加させるか又は応答信号を送信する際の送信電力を増加させる指示を通信端末に送信することが可能となる。
【発明の効果】
【００１６】
この発明によれば、判別した原因に応じて通信端末へ通信データを送信する際の送信電力を増加させるか又は応答信号を送信する際の送信電力を増加させる指示を通信端末に送信することが可能となるので、通信端末から送信される通信データの受信の信頼性を向上させることが可能にとなるという効果を奏する。
【発明を実施するための最良の形態】
【００１７】
以下に、本発明にかかる無線通信装置と通信端末の実施の形態を図面に基づいて詳細に説明する。なお、この実施の形態によりこの発明が限定されるものではない。
【００１８】
実施の形態１．
図１は、本発明の無線通信装置と通信端末の間で行なう通信を説明するための図である。無線通信装置１０１は、携帯電話等の通信端末２０１と無線通信を行なう基地局などの通信装置である。なお、ここでは通信端末２０１から無線通信装置１０１へのリンクを上りリンクとし、無線通信装置１０１から通信端末２０１へのリンクを下りリンクとして説明する。
【００１９】
無線通信装置１０１は、例えば第３．５世代移動体通信装置であり３ＧＰＰ規格（ＨＳＤＰＡ）に基づいて動作する。具体的には、無線通信装置１０１は、制御チャネル（ＨＳ−ＳＣＣＨ）やパケットデータチャネル（ＨＳ−ＰＤＳＣＨ）を用いて、通信端末２０１に制御データ（ＨＳＤＰＡ制御データ）やパケットデータ（ＨＳＤＰＡパケットデータ）を送信（パケット伝送）する。
【００２０】
通信端末２０１は、ＨＳ−ＳＣＣＨの受信によって得られた制御パラメータに基づいてＨＳ−ＰＤＳＣＨを受信し、その受信結果に応じて、例えばＨＳ−ＰＤＳＣＨ受信の７．５スロット後に上りリンクチャネル（ＨＳ−ＤＰＣＣＨ）を用いて無線通信装置１０１にＡＣＫ／ＮＡＣＫ信号（応答信号）を返す。すなわち、通信端末２０１は、ＨＳ−ＰＤＳＣＨ復調を正しく行えた場合は無線通信装置１０１にＡＣＫ信号を送出し、正しく復調できなかった場合は無線通信装置１０１にＮＡＣＫ信号を送出する。また、通信端末２０１は下りリンクパイロットチャネル（ＣＰＩＣＨ）を用いて下りリンクの品質測定を行い、回線品質情報としてＣＱＩを無線通信装置１０１に定期的に送出する。
【００２１】
無線通信装置１０１は、通信端末２０１と通信を行う際に通信端末２０１から応答信号がない場合に、自らの装置の送信電力の制御行なうか、または通信端末２０１に送信電力の制御を行なわせるかの判断を行う。これにより、無線通信装置１０１は、通信端末２０１との間で行なう通信データの再送信の信頼性を向上させる。
【００２２】
図２は、本発明の実施の形態１にかかる無線通信装置の構成を示すブロック図である。無線通信装置１０１は、ＨＳ−ＰＤＳＣＨ符号化処理部１１、ＨＳ−ＰＤＳＣＨ変調処理部１２、ＨＳ−ＳＣＣＨ符号化処理部１３、ＨＳ−ＳＣＣＨ変調処理部１４、下りリンクＡ−ＤＰＣＨ（Associated Dedicated Physical Channel）符号化処理部１５、下りリンクＡ−ＤＰＣＨ変調処理部１６、パイロット信号生成部１７、上りリンク電力制御ビット生成部（指示部）１８、送信電力制御部（電力制御部）１９、合成部２０、上りリンクＡ−ＤＰＣＨ復調処理部２１、上りリンクＡ−ＤＰＣＨ復号処理部２２、ＨＳ−ＤＰＣＣＨ復調処理部２３、ＡＣＫ／ＮＡＣＫ復号処理部２４、ＡＣＫ／ＮＡＣＫ／ＤＴＸ判定部（応答信号判断部）２５、ＣＱＩ復号処理部２６、ＣＱＩ／ＤＴＸ判定部（回線品質判定部）２７、電力制御切替部（原因判別部）２８を備えている。
【００２３】
ＨＳ−ＰＤＳＣＨ符号化処理部１１は、ＨＳＤＰＡパケットデータを符号化処理してＨＳ−ＰＤＳＣＨ変調処理部１２に入力する。ＨＳ−ＰＤＳＣＨ変調処理部１２は、ＨＳ−ＰＤＳＣＨ符号化処理部１１からの符号化されたＨＳＤＰＡパケットデータを変調して合成部２０に入力する。
【００２４】
ＨＳ−ＳＣＣＨ符号化処理部１３は、ＨＳＤＰＡ制御データを符号化処理してＨＳ−ＳＣＣＨ変調処理部１４に入力する。ＨＳ−ＳＣＣＨ変調処理部１４は、ＨＳ−ＳＣＣＨ符号化処理部１３からの符号化されたＨＳＤＰＡ制御データを変調して合成部２０に入力する。
【００２５】
下りリンクＡ−ＤＰＣＨ符号化処理部１５は、下りＡ−ＤＰＣＨ上の下りＡ−ＤＰＣＨデータを符号化処理して下りリンクＡ−ＤＰＣＨ変調処理部１６に入力する。ここでのＡ−ＤＰＣＨは、ＨＳＤＰＡ伝送を行う際の付随チャネルとして使用される。
【００２６】
パイロット信号生成部１７は、パイロット信号を生成する。上りリンク電力制御ビット生成部１８は、電力制御切替部２８からの指示に基づいて、上りリンクの電力増加を通信端末２０１に指示する情報（上りリンク電力増加コマンド）を生成する。
【００２７】
下りリンクＡ−ＤＰＣＨ変調処理部１６は、上りリンク電力制御ビット生成部１８からの上りリンク電力増加コマンド、パイロット信号生成部１７が生成するパイロット信号、下りリンクＡ−ＤＰＣＨ符号化処理部１５が符号化処理した下りＡ−ＤＰＣＨデータを変調して合成部２０に入力する。
【００２８】
送信電力制御部１９は、予め設定された所定の送信電力または電力制御切替部２８からの指示に基づく所定の送信電力によって信号を出力するようＨＳ−ＰＤＳＣＨ変調処理部１２、ＨＳ−ＳＣＣＨ変調処理部１４、下りリンクＡ−ＤＰＣＨ変調処理部１６を制御する。
【００２９】
合成部２０は、下りリンクＡ−ＤＰＣＨ変調処理部１６で変調された信号、ＨＳ−ＰＤＳＣＨ変調処理部１２で変調されたＨＳ−ＰＤＳＣＨ信号、ＨＳ−ＳＣＣＨ変調処理部１４で変調されたＨＳ−ＳＣＣＨ信号等を必要に応じて合成し通信端末２０１に送信する。
【００３０】
上りリンクＡ−ＤＰＣＨ復調処理部２１は、通信端末２０１からのＡ−ＤＰＣＨ上の上りＡ−ＤＰＣＨデータを復調処理して上りリンクＡ−ＤＰＣＨ復号処理部２２に入力する。上りリンクＡ−ＤＰＣＨ復号処理部２２は、上りリンクＡ−ＤＰＣＨ復調処理部２１からの復調処理された上りＡ−ＤＰＣＨデータを復号処理する。
【００３１】
ＨＳ−ＤＰＣＣＨ復調処理部２３は、通信端末２０１からのＨＳ−ＤＰＣＣＨ上のパケットを復調し、復調した信号としてＡＣＫ／ＮＡＣＫをＡＣＫ／ＮＡＣＫ復号処理部２４に入力し、ＣＱＩをＣＱＩ復号処理部２６に入力する。
【００３２】
ＡＣＫ／ＮＡＣＫ復号処理部２４は、ＨＳ−ＤＰＣＣＨ復調処理部２３からのＡＣＫ／ＮＡＣＫを復号処理しＡＣＫ／ＮＡＣＫ／ＤＴＸ判定部２５に入力する。ＡＣＫ／ＮＡＣＫ／ＤＴＸ判定部２５は、ＡＣＫ／ＮＡＣＫ復号処理部２４から入力された信号が、ＡＣＫ、ＮＡＣＫ、ＤＴＸ（無信号状態）のいずれであるかを判定し、この判定結果を電力制御切替部２８に入力する。
【００３３】
ＣＱＩ復号処理部２６は、ＨＳ−ＤＰＣＣＨ復調処理部２３からのＣＱＩを復号処理しＣＱＩ／ＤＴＸ判定部２７に入力する。ＣＱＩ／ＤＴＸ判定部２７は、ＣＱＩ復号処理部２６から入力された信号がＣＱＩ、ＤＴＸのいずれであるかを判定し、この判定結果を電力制御切替部２８に入力する。
【００３４】
電力制御切替部２８は、ＡＣＫ／ＮＡＣＫ／ＤＴＸ判定部２５、ＣＱＩ／ＤＴＸ判定部２７からの判定結果に基づいて、通信端末２０１と通信を行う際に通信端末２０１からＡＣＫ／ＮＡＣＫがない場合等に、無線通信装置１０１の送信電力の制御行なうか、または通信端末２０１に送信電力の制御を行なわせるかの判断を行う。具体的には、電力制御切替部２８は下りリンクにおいて、通信端末２０１側が雑音等によりＨＳ−ＳＣＣＨを受信できなかったか、または上りリンクにおいて無線通信装置１０１が通信端末２０１の送出したＡＣＫまたはＮＡＣＫ信号を雑音等により受信できなかったかを判断する。電力制御切替部２８は、ＡＣＫ／ＮＡＣＫ／ＤＴＸ判定部２５、ＣＱＩ／ＤＴＸ判定部２７からの判定結果に基づいて、上りリンク電力制御ビット生成部１８、送信電力制御部１９に所定の指示を送る。
【００３５】
つぎに、実施の形態１にかかる無線通信装置１０１の動作処理手順について説明する。通信端末２０１に送信するＨＳＤＰＡ制御データは、ＨＳ−ＳＣＣＨ符号化処理部１３で符号化されてＨＳ−ＳＣＣＨ変調処理部１４に入力される。ＨＳ−ＳＣＣＨ変調処理部１４は、ＨＳ−ＳＣＣＨ符号化処理部１３からの符号化されたＨＳＤＰＡ制御データを変調する。このとき、送信電力制御部１９は予め設定された所定の送信電力によってＨＳＤＰＡ制御データを送信するようＨＳ−ＳＣＣＨ変調処理部１４を制御する。ＨＳ−ＳＣＣＨ変調処理部１４からのＨＳＤＰＡ制御データは合成部２０を介して通信端末２０１に送信される。
【００３６】
また、通信端末２０１に送信するＨＳＤＰＡパケットデータは、ＨＳ−ＰＤＳＣＨ符号化処理部１１で符号化されＨＳ−ＰＤＳＣＨ変調処理部１２に入力される。ＨＳ−ＰＤＳＣＨ変調処理部１２は、ＨＳ−ＰＤＳＣＨ符号化処理部１１からの符号化されたＨＳＤＰＡパケットデータを変調する。このとき、送信電力制御部１９は予め設定された所定の送信電力によってＨＳＤＰＡパケットデータを送信するようＨＳ−ＰＤＳＣＨ変調処理部１２を制御する。ＨＳ−ＰＤＳＣＨ変調処理部１２からのＨＳＤＰＡパケットデータは合成部２０を介して通信端末２０１に送信される。
【００３７】
通信端末２０１は、無線通信装置１０１からのＨＳ−ＰＤＳＣＨサブフレーム（ＨＳＤＰＡパケットデータ）受信の７．５スロット後に受信結果（通信データの受信誤りの有無）に応じ、リンクチャネル（ＨＳ−ＤＰＣＣＨ）を用いてＡＣＫ／ＮＡＣＫのいずれかの応答信号を無線通信装置１０１に送出する。通信端末２０１は、無線通信装置１０１からのＨＳ−ＰＤＳＣＨ上のパケットに対してＨＳ−ＰＤＳＣＨ復調を正しく行なえた場合に無線通信装置１０１にＡＣＫを送信し、ＨＳ−ＰＤＳＣＨ復調を正しく行なえなかった場合に無線通信装置１０１にＮＡＣＫを送信する。
【００３８】
また、通信端末２０１は下りリンクパイロットチャネル（ＣＰＩＣＨ）を用いて下りリンクの品質測定を行い、符号化率等の回線品質情報としてＣＱＩを無線通信装置１０１に定期的に送出している。
【００３９】
無線通信装置１０１は、通信端末２０１からのＨＳ−ＤＰＣＣＨ上のパケットを受信すると、ＨＳ−ＤＰＣＣＨ復調処理部２３によって復調する。ＨＳ−ＤＰＣＣＨ復調処理部２３は、復調した信号としてＡＣＫ／ＮＡＣＫをＡＣＫ／ＮＡＣＫ復号処理部２４に入力し、ＣＱＩをＣＱＩ復号処理部２６に入力する。
【００４０】
ＡＣＫ／ＮＡＣＫ復号処理部２４は、ＡＣＫ／ＮＡＣＫを復号処理し、ＡＣＫ／ＮＡＣＫ／ＤＴＸ判定部２５に入力する。ＡＣＫ／ＮＡＣＫ／ＤＴＸ判定部２５は、ＡＣＫ／ＮＡＣＫ復号処理部２４から入力された信号が、ＡＣＫ、ＮＡＣＫ、ＤＴＸ（無信号状態）のいずれであるかを判定する。この判定結果は電力制御切替部２８に入力される。
【００４１】
ＣＱＩ復号処理部２６は、ＣＱＩを復号処理し、ＣＱＩ／ＤＴＸ判定部２７に入力する。ＣＱＩ／ＤＴＸ判定部２７は、ＣＱＩ復号処理部２６から入力された信号がＣＱＩ、ＤＴＸのいずれであるかを判定する。このＡＣＫ／ＮＡＣＫ／ＤＴＸ判定部２５およびＣＱＩ／ＤＴＸ判定部２７による判定結果は電力制御切替部２８に入力される。
【００４２】
無線通信装置１０１が通信端末２０１にＨＳＤＰＡ制御データやＨＳＤＰＡパケットデータを送信したにもかかわらず、ＡＣＫ／ＮＡＣＫ／ＤＴＸ判定部２５が通信端末２０１からＡＣＫまたはＮＡＣＫを受信せずＤＴＸであると判断した場合には、ＡＣＫ、ＮＡＣＫを受信する予定の前後の所定のタイミングでＣＱＩが受信されているか否かを判断する。すなわち、電力制御切替部２８はＡＣＫ／ＮＡＣＫ／ＤＴＸ判定部２５がＤＴＸと判断したか否かとＣＱＩ／ＤＴＸ判定部２７がＤＴＸと判断したか否かを判断する。
【００４３】
ＣＱＩ／ＤＴＸ判定部２７による判定結果がＤＴＸであった場合は、上りリンク伝送時の雑音等によりＣＱＩが無線通信装置１０１に到達しなかった（不達）と考えられるので、同様にＡＣＫ／ＮＡＣＫ信号についても上りリンク伝送時の雑音等により不達となった可能性が高い。
【００４４】
そこで、このような場合は、電力制御切替部２８は上りリンク電力制御ビット生成部１８に上りリンク電力増加コマンドを生成するよう指示する。上りリンク電力制御ビット生成部１８は、上りリンク電力増加コマンドを生成する。
【００４５】
この上りリンク電力増加コマンドは、パイロット信号生成部１７が生成するパイロット信号や下りリンクＡ−ＤＰＣＨ符号化処理部１５が符号化処理した下りＡ−ＤＰＣＨデータとともに下りリンクＡ−ＤＰＣＨ変調処理部１６で変調される。下りリンクＡ−ＤＰＣＨ変調処理部１６で変調されたこれらの信号は、合成部２０でＨＳ−ＰＤＳＣＨ信号やＨＳ−ＳＣＣＨ信号と合成された後、通信端末２０１に向けて送信される。
【００４６】
通信端末２０１は、下りリンクＡ−ＤＰＣＨ信号を受信し、Ａ−ＤＰＣＨ信号内の上りリンク電力増加コマンドを検出すると、無線通信装置１０１へのＨＳ−ＤＰＣＣＨ信号の信号送信電力を増加させる。これにより、以降の通信において無線通信装置１０１によるＨＳ−ＤＰＣＣＨ信号の受信に対する信頼性を向上させることが可能となる。
【００４７】
なお実施の形態１では、通信端末２０１がＨＳ−ＰＤＳＣＨサブフレーム受信の７．５スロット後に受信結果に応じてＡＣＫ／ＮＡＣＫのいずれかを送出する場合について説明したが、これは本発明において本質的なものではなく、ＡＣＫ／ＮＡＣＫを送出するタイミングは他のタイミングであってもよい。
【００４８】
このように実施の形態１によれば、無線通信装置１０１が所定のタイミングでＡＣＫ、ＮＡＣＫのいずれも受信しない場合に、所定のタイミングでＣＱＩが受信されているかを確認し、ＣＱＩを受信していない場合には上りリンク電力増加コマンドを生成して通信端末２０１に送信するので、通信端末２０１の当該無線通信装置１０１への信号送信電力を増加させることが可能となり、通信端末２０１は適切な電力設定を行なうことが可能となる。したがって、無線通信装置１０１によるＨＳ−ＤＰＣＣＨ信号の受信（再受信）の信頼性を向上させることが可能となる。これにより、無線通信装置１０１と通信端末２０１との間の通信を効率よく行うことが可能となる。
【００４９】
実施の形態２．
つぎに、図３を用いてこの発明の実施の形態２について説明する。実施の形態２では、
無線通信装置１０１が通信端末２０１と通信を行う際に通信端末２０１から応答信号がない場合に、ＣＱＩの値に基づいて自らの装置の送信電力の制御行なうか、または通信端末２０１に送信電力の制御を行なわせるかの判断を行う。すなわち、無線通信装置１０１は、所定のタイミングでＣＱＩが受信されている場合に、受信したＣＱＩ値の変動量に基づいて適切な電力制御方法を判断する。
【００５０】
図３は、本発明の実施の形態２にかかる無線通信装置の構成を示すブロック図であり、図３の各構成要素のうち図２に示す実施の形態１の無線通信装置１０１と同一機能を達成する構成要素については同一番号を付しており、重複する説明は省略する。ここでの無線通信装置１０１は、実施の形態１の図２で説明した無線通信装置１０１が備える機能に加えて比較部（品質値比較部）３０、メモリ（品質履歴記憶部）３１を備えている。
【００５１】
メモリ３１は、受信したＣＱＩ値の履歴を記憶する記憶手段である。比較部３０は、メモリ３１に記憶されているＣＱＩ値（以下、記憶ＣＱＩ値という）とＣＱＩ／ＤＴＸ判定部２７から出力される新たな（現時点での）ＣＱＩ値（以下、現ＣＱＩ値という）を比較する比較器である。
【００５２】
つぎに、実施の形態２にかかる無線通信装置の動作処理手順について説明する。なお、ここでは、自らの装置の送信電力の制御行なうか、または通信端末２０１に送信電力の制御を行なわせるかの判断処理以外の動作手順は、実施の形態１と同様の処理を行うので実施の形態１と同様の動作手順についてはその説明を省略する。
【００５３】
通信端末２０１は、無線通信装置１０１からのＨＳ−ＰＤＳＣＨサブフレーム受信の７．５スロット後に受信結果に応じてＡＣＫ／ＮＡＣＫのいずれかの応答信号を無線通信装置１０１に送出する。
【００５４】
ＣＱＩ／ＤＴＸ判定部２７は、ＣＱＩ復号処理部２６から入力されたＣＱＩ値をメモリ３１に入力しておく。メモリ３１は、ＣＱＩ／ＤＴＸ判定部２７から入力されるＣＱＩ値の履歴を記憶しておく。
【００５５】
無線通信装置１０１が通信端末２０１にＨＳＤＰＡ制御データやＨＳＤＰＡパケットデータを送信したにもかかわらず、ＡＣＫ／ＮＡＣＫ／ＤＴＸ判定部２５が通信端末２０１からＡＣＫまたはＮＡＣＫを受信せずＤＴＸであると判断した場合には、この判断結果が電力制御切替部２８に入力される。電力制御切替部２８は、ＡＣＫ／ＮＡＣＫ／ＤＴＸ判定部２５がＤＴＸであると判断すると、ＡＣＫ、ＮＡＣＫを受信する予定の前後の所定のタイミングで受信したＣＱＩ値を、ＣＱＩ／ＤＴＸ判定部２７から比較部３０に入力させる。
【００５６】
比較部３０は、ＣＱＩ／ＤＴＸ判定部２７から入力された現ＣＱＩ値と、メモリ３１がこれまでに記憶していた記憶ＣＱＩ値とを比較し、この比較結果を電力制御切替部２８に通知（入力）する。また、ＣＱＩ／ＤＴＸ判定部２７から比較部３０へ入力したＣＱＩ値はメモリ３１へ格納しておく。
【００５７】
現ＣＱＩ値が記憶ＣＱＩ値よりも所定値以上低い（小さい）場合には、下りリンクの伝送品質が劣化しているために通信端末２０１側にＨＳ−ＳＣＣＨ信号が到達していないと考えられる。
【００５８】
そこで、このような場合は、ＨＳ−ＳＣＣＨ変調処理部１４に送信電力を増加させる設定とするよう電力制御切替部２８は送信電力制御部１９を制御する。送信電力制御部１９はＨＳ−ＳＣＣＨ変調処理部１４に送信電力を増加させる設定とさせる。ＨＳ−ＳＣＣＨ変調処理部１４は、送信電力を増加して通信端末２０１にＨＳ−ＳＣＣＨ信号を送信する。
【００５９】
これにより、通信端末２０１側にＨＳ−ＳＣＣＨ信号を到達させることができ、通信端末２０１はＨＳ−ＤＰＣＣＨ信号を送信することが可能となる。したがって、以降の通信において無線通信装置１０１によるＨＳ−ＤＰＣＣＨ信号の受信に対する信頼性を向上させることが可能となる。
【００６０】
一方、現ＣＱＩ値と記憶ＣＱＩ値との差が所定値以下の場合、または現ＣＱＩ値が記憶ＣＱＩ値よりも所定値以上大きい場合には、下りリンクの伝送品質は変化していないと考えられる。したがって、上りリンク伝送時の雑音等によりＡＣＫ／ＮＡＣＫ信号が無線通信装置１０１に不達となった可能性が高い。
【００６１】
そこで、このような場合は、電力制御切替部２８は上りリンク電力制御ビット生成部１８に上りリンク電力増加コマンドを生成するよう指示する。上りリンク電力制御ビット生成部１８は、上りリンク電力増加コマンドを生成する。
【００６２】
この上りリンク電力増加コマンドは、パイロット信号生成部１７が生成するパイロット信号や下りリンクＡ−ＤＰＣＨ符号化処理部１５が符号化処理した下りＡ−ＤＰＣＨデータとともに下りリンクＡ−ＤＰＣＨ変調処理部１６で変調される。下りリンクＡ−ＤＰＣＨ変調処理部１６で変調されたこれらの信号は、合成部２０でＨＳ−ＰＤＳＣＨ信号やＨＳ−ＳＣＣＨ信号と合成された後、通信端末２０１に向けて送信される。
【００６３】
通信端末２０１は、下りリンクＡ−ＤＰＣＨ信号を受信し、Ａ−ＤＰＣＨ信号内の上りリンク電力増加コマンドを検出すると、無線通信装置１０１へのＨＳ−ＤＰＣＣＨ信号の信号送信電力を増加させる。これにより、以降の通信において無線通信装置１０１によるＨＳ−ＤＰＣＣＨ信号の受信に対する信頼性を向上させることが可能となる。
【００６４】
なお、本実施の形態２においては、比較部３０が現ＣＱＩ値と記憶ＣＱＩ値を比較しているが、記憶ＣＱＩ値は直前に記憶した１つのＣＱＩ値であってもよいし、過去に記憶した所定数の（複数の）ＣＱＩ値の中の最小値であってもよい。また、記憶ＣＱＩ値は過去の複数のＣＱＩ値の平均値より所定値だけ小さな値としてもよい。また、記憶ＣＱＩ値はフェージングによるＣＱＩ値の時間変動を考慮して過去のＣＱＩ値の変動量から予測した値であってもよい。
【００６５】
また、本実施の形態２においては、現ＣＱＩ値が記憶ＣＱＩ値より所定値以上小さい場合には、ＨＳ−ＳＣＣＨ送信電力を増加させるよう制御し、現ＣＱＩ値が記憶ＣＱＩ値の差が所定値以下の場合には、上りリンク電力増加コマンドを生成するよう制御しているが、どちらか片方のみの制御であってもよい。すなわち、現ＣＱＩ値が記憶ＣＱＩ値より所定値以上小さい場合には、ＨＳ−ＳＣＣＨ送信電力を増加させるよう制御し、それ以外の場合には何も行わないようにしてもよい。あるいは逆に、現ＣＱＩ値が記憶ＣＱＩ値の差が所定値以下の場合には、上りリンク電力増加コマンドを生成するよう制御し、それ以外の場合には何も行わないようにしてもよい。
【００６６】
また、本実施の形態２の無線通信装置１０１の動作と実施の形態１の無線通信装置１０１の動作を組合せて実施してもよい。例えば、無線通信装置１０１は所定のタイミングでＣＱＩを受信しているかを確認し、ＣＱＩを受信していない場合には上りリンク電力増加コマンドを生成させる。一方、ＣＱＩを受信している場合であって現ＣＱＩ値が記憶ＣＱＩ値より所定値以上小さい場合に、ＨＳ−ＳＣＣＨ送信電力を増加させるようにしてもよい。
【００６７】
このように実施の形態２によれば、無線通信装置１０１が所定のタイミングでＡＣＫ、ＮＡＣＫのいずれも受信しない場合に、所定のタイミングで受信されたＣＱＩ値の変動量（現ＣＱＩ値と記憶ＣＱＩ値の差）に基づいて、適切な電力制御方法（ＨＳ−ＳＣＣＨ送信電力の増加または上りリンク電力増加コマンドを生成）を判断するので、無線通信装置１０１によるＨＳ−ＤＰＣＣＨ信号の受信の信頼性を向上させることが可能となる。これにより、無線通信装置１０１と通信端末２０１との間の通信を効率よく行うことが可能となる。
【００６８】
実施の形態３．
つぎに、図４を用いてこの発明の実施の形態３について説明する。実施の形態３では、
無線通信装置１０１が通信端末２０１と通信を行う際に通信端末２０１から応答信号がない場合に、ＡＣＫ信号の受信レベルに基づいて自らの装置の送信電力の制御行なうか、または通信端末２０１に送信電力の制御を行なわせるかの判断を行う。すなわち、無線通信装置１０１は、ＡＣＫ信号が受信されている場合に、受信したＡＣＫ信号の受信レベルに基づいて適切な電力制御方法を判断する。
【００６９】
図４は、本発明の実施の形態３にかかる無線通信装置の構成を示すブロック図であり、図４の各構成要素のうち図２に示す実施の形態１の無線通信装置１０１と同一機能を達成する構成要素については同一番号を付しており、重複する説明は省略する。ここでの無線通信装置１０１は、実施の形態１の図２で説明した無線通信装置１０１が備える機能に加えて閾値判定部（応答信号判定部）４１を備えている。閾値判定部４１は、受信したＡＣＫ信号が所定の閾値（基準値）より大きいか否かを判定し、判定結果を電力制御切替部２８に入力する。
【００７０】
つぎに、実施の形態３にかかる無線通信装置の動作処理手順について説明する。なお、ここでは、自らの装置の送信電力の制御行なうか、または通信端末２０１に送信電力の制御を行なわせるかの判断処理以外の動作手順は、実施の形態１と同様の処理を行うので実施の形態１と同様の動作手順についてはその説明を省略する。
【００７１】
通信端末２０１は、無線通信装置１０１からのＨＳ−ＰＤＳＣＨサブフレーム受信の７．５スロット後に受信結果に応じてＡＣＫ／ＮＡＣＫのいずれかの応答信号を無線通信装置１０１に送出する。
【００７２】
ＡＣＫ／ＮＡＣＫ／ＤＴＸ判定部２５は、ＡＣＫ／ＮＡＣＫ／ＤＴＸ判定部２５に予め設定されているＡＣＫの閾値ＴＨ＿ＡＣＫ（＜０）およびＮＡＣＫの閾値ＴＨ＿ＮＡＣＫ（＞０）と、ＡＣＫ／ＮＡＣＫ復号処理部２４が出力する出力レベルｕを比較する。
ＡＣＫ／ＮＡＣＫ／ＤＴＸ判定部２５は、出力レベルｕがｕ＜ＴＨ＿ＡＣＫの場合に通信端末２０１からの応答信号がＡＣＫであると判定し、出力レベルｕがｕ＞ＴＨ＿ＮＡＣＫの場合に通信端末２０１からの応答信号がＮＡＣＫであると判定する。また、ＡＣＫ／ＮＡＣＫ／ＤＴＸ判定部２５は出力レベルｕがｕ＜ＴＨ＿ＡＣＫやｕ＞ＴＨ＿ＮＡＣＫを満たさない場合にＤＴＸであると判定する。
【００７３】
閾値判定部４１は、ＡＣＫ／ＮＡＣＫ／ＤＴＸ判定部２５がＤＴＸであると判定した場合に、ＡＣＫ／ＮＡＣＫ／ＤＴＸ判定部２５に設定されている閾値とは異なる別の閾値によってＤＴＸと判定された信号（ＡＣＫ）をさらに分類する。
【００７４】
具体的には、閾値判定部４１は、ＤＴＸと判定された信号の出力レベルｕと閾値判定部４１に予め設定されている閾値ＴＨ＿ＤＣＳ１（ＴＨ＿ＡＣＫ＜ＴＨ＿ＤＣＳ１＜０）や閾値ＴＨ＿ＤＣＳ２（０＜ＴＨ＿ＤＣＳ２＜ＴＨ＿ＮＡＣＫ）とを比較する。
【００７５】
無線通信装置１０１が通信端末２０１にＨＳＤＰＡ制御データやＨＳＤＰＡパケットデータを送信したにもかかわらず、ＡＣＫ／ＮＡＣＫ／ＤＴＸ判定部２５が通信端末２０１からＡＣＫまたはＮＡＣＫを受信せずＤＴＸであると判断した場合には、この判断結果が電力制御切替部２８に入力される。電力制御切替部２８は、ＡＣＫ／ＮＡＣＫ／ＤＴＸ判定部２５がＤＴＸであると判断すると、閾値判定部４１に出力レベルｕの判定を行なわせる。閾値判定部４１は、ＡＣＫ／ＮＡＣＫ復号処理部２４からの出力レベルｕがＴＨ＿ＤＣＳ１＜ｕ＜ＴＨ＿ＤＣＳ２の範囲内であるか否かを判定する。
【００７６】
図５は、ＡＣＫ／ＮＡＣＫ信号の出力レベルの判定を説明するための図である。図５に示すように、ＴＨ＿ＤＣＳ１＜ｕ＜ＴＨ＿ＤＣＳ２が成立する場合は、上りリンクＨＳ−ＤＰＣＣＨが送信されていないと考えられるので、通信端末２０１がＨＳ−ＳＣＣＨを受信していない可能性が高い。
【００７７】
そこで、このような場合は、ＨＳ−ＳＣＣＨ変調処理部１４に送信電力を増加させる設定とするよう電力制御切替部２８は送信電力制御部１９を制御する。送信電力制御部１９はＨＳ−ＳＣＣＨ変調処理部１４に送信電力を増加させる設定とさせる。ＨＳ−ＳＣＣＨ変調処理部１４は、送信電力を増加して通信端末２０１にＨＳ−ＳＣＣＨ信号を送信する。
【００７８】
これにより、通信端末２０１側にＨＳ−ＳＣＣＨ信号を到達させることができ、通信端末２０１はＨＳ−ＤＰＣＣＨ信号を送信することが可能となる。したがって、以降の通信において無線通信装置１０１によるＨＳ−ＤＰＣＣＨ信号の受信に対する信頼性を向上させることが可能となる。
【００７９】
一方、図５に示すように、ＴＨ＿ＤＣＳ１＜ｕ＜ＴＨ＿ＤＣＳ２が成立しない場合は、
上りリンクＨＳ−ＤＰＣＣＨは通信端末２０１側から送信されているものの通信端末２０１側の送信電力が不足していると考えられる。
【００８０】
そこで、このような場合は、電力制御切替部２８は上りリンク電力制御ビット生成部１８に上りリンク電力増加コマンドを生成するよう指示する。上りリンク電力制御ビット生成部１８は、上りリンク電力増加コマンドを生成する。
【００８１】
この上りリンク電力増加コマンドは、パイロット信号生成部１７が生成するパイロット信号や下りリンクＡ−ＤＰＣＨ符号化処理部１５が符号化処理した下りＡ−ＤＰＣＨデータとともに下りリンクＡ−ＤＰＣＨ変調処理部１６で変調される。下りリンクＡ−ＤＰＣＨ変調処理部１６で変調されたこれらの信号は、合成部２０でＨＳ−ＰＤＳＣＨ信号やＨＳ−ＳＣＣＨ信号と合成された後、通信端末２０１に向けて送信される。
【００８２】
通信端末２０１は、下りリンクＡ−ＤＰＣＨ信号を受信し、Ａ−ＤＰＣＨ信号内の上りリンク電力増加コマンドを検出すると、無線通信装置１０１へのＨＳ−ＤＰＣＣＨ信号の信号送信電力を増加させる。これにより、以降の通信において無線通信装置１０１によるＨＳ−ＤＰＣＣＨ信号の受信に対する信頼性を向上させることが可能となる。
【００８３】
なお、本実施の形態３においては、閾値判定部４１に予め所定の閾値（ＴＨ＿ＤＣＳ１およびＴＨ＿ＤＣＳ２）を設定しておくこととしたが、この閾値は固定的に設定しておく場合に限られず、ＳＩＲ（Signal to Interference Ratio）計算値等を考慮した可変値であってもよい。
【００８４】
このように実施の形態３によれば、無線通信装置１０１が所定のタイミングでＡＣＫ、ＮＡＣＫのいずれも受信しない場合（ＤＴＸの場合）に、無線通信装置１０１がＡＣＫ信号の受信レベルに基づいて適切な電力制御方法（ＨＳ−ＳＣＣＨ送信電力の増加または上りリンク電力増加コマンドを生成）を判断するので、無線通信装置１０１によるＨＳ−ＤＰＣＣＨ信号の受信の信頼性を向上させることが可能となる。これにより、無線通信装置１０１と通信端末２０１との間の通信を効率よく行うことが可能となる。
【００８５】
実施の形態４．
つぎに、図６を用いてこの発明の実施の形態４について説明する。実施の形態４では、
無線通信装置１０１が通信端末２０１と通信を行う際に通信端末２０１から応答信号がない場合に、ＳＩＲの値（希望波信号電力と干渉電力の比）に基づいて自らの装置の送信電力の制御行なうか、または通信端末２０１に送信電力の制御を行なわせるかの判断を行う。すなわち、無線通信装置１０１は、上りリンク受信ＳＩＲ計算値の変動に基づいて適切な電力制御方法を判断する。
【００８６】
図６は、本発明の実施の形態４にかかる無線通信装置の構成を示すブロック図であり、図６の各構成要素のうち図２に示す実施の形態１の無線通信装置１０１と同一機能を達成する構成要素については同一番号を付しており、重複する説明は省略する。ここでの無線通信装置１０１は、実施の形態１の図２で説明した無線通信装置１０１が備える機能に加えて比較部（ＳＩＲ比較部）５３、メモリ（ＳＩＲ履歴記憶部）５２、ＳＩＲ値算出部（ＳＩＲ算出部）５１を備えている。
【００８７】
メモリ５２は、ＳＩＲ計算値の履歴を記憶する記憶手段である。ＳＩＲ値算出部５１は、上りリンクＡ−ＤＰＣＨ復調処理部２１で復調されたパイロット信号に基づいてＳＩＲ値を算出する。比較部５３は、メモリ５２に記憶されているＳＩＲ値（以下、記憶ＳＩＲ値という）と上りリンクＡ−ＤＰＣＨ復調処理部２１からＳＩＲ値算出部５１が算出した新たな（現時点での）ＳＩＲ値（以下、現ＳＩＲ値という）を比較する比較器である。
【００８８】
つぎに、実施の形態４にかかる無線通信装置の動作処理手順について説明する。なお、ここでは、自らの装置の送信電力の制御行なうか、または通信端末２０１に送信電力の制御を行なわせるかの判断処理以外の動作手順は、実施の形態１と同様の処理を行うので実施の形態１と同様の動作手順についてはその説明を省略する。
【００８９】
無線通信装置１０１は、通信端末２０１から上りリンクＡ−ＤＰＣＨ信号を受信すると、この上りリンクＡ−ＤＰＣＨ信号を上りリンクＡ−ＤＰＣＨ復調処理部２１で復調する。上りリンクＡ−ＤＰＣＨ復調処理部２１で復調されたＡ−ＤＰＣＨ信号内のパイロット信号は、ＳＩＲ値算出部５１に入力される。ＳＩＲ値算出部５１は、上りリンクＡ−ＤＰＣＨ復調処理部２１で復調されたパイロット信号に基づいてＳＩＲ値の算出を行なう。ＳＩＲ値算出部５１は、算出したＳＩＲ値をメモリ５２に入力しておく。メモリ５２は、ＳＩＲ値算出部５１から入力されるＳＩＲ値の履歴を記憶しておく。
【００９０】
通信端末２０１は、無線通信装置１０１からのＨＳ−ＰＤＳＣＨサブフレーム受信の７．５スロット後に受信結果に応じてＡＣＫ／ＮＡＣＫのいずれかの応答信号を無線通信装置１０１に送出する。
【００９１】
無線通信装置１０１が通信端末２０１にＨＳＤＰＡ制御データやＨＳＤＰＡパケットデータを送信したにもかかわらず、ＡＣＫ／ＮＡＣＫ／ＤＴＸ判定部２５が通信端末２０１からＡＣＫまたはＮＡＣＫを受信せずＤＴＸであると判断した場合には、この判断結果が電力制御切替部２８に入力される。電力制御切替部２８は、ＡＣＫ／ＮＡＣＫ／ＤＴＸ判定部２５がＤＴＸであると判断すると、この時点でのＳＩＲ値を、ＳＩＲ値算出部５１から比較部５３に入力させる。
【００９２】
比較部５３は、ＳＩＲ値算出部５１から入力された現ＳＩＲ値と、メモリ５２がこれまでに記憶していた記憶ＳＩＲ値とを比較し、この比較結果を電力制御切替部２８に入力する。また、ＳＩＲ値算出部５１から比較部５３へ入力したＳＩＲ値はメモリ５２へ格納しておく。
【００９３】
現ＳＩＲ値と記憶ＳＩＲ値の差が所定値より小さい場合、または現ＳＩＲ値が記憶ＳＩＲ値よりも所定値以上大きい場合には、上りリンクの伝送品質は変化していないと考えられるので、下りリンクの伝送品質劣化によって通信端末２０１側にＨＳ−ＳＣＣＨ信号が到達していないと考えられる。
【００９４】
そこで、このような場合は、ＨＳ−ＳＣＣＨ変調処理部１４に送信電力を増加させる設定とするよう電力制御切替部２８は送信電力制御部１９を制御する。送信電力制御部１９はＨＳ−ＳＣＣＨ変調処理部１４に送信電力を増加させる設定とさせる。ＨＳ−ＳＣＣＨ変調処理部１４は、送信電力を増加して通信端末２０１にＨＳ−ＳＣＣＨ信号を送信する。
【００９５】
これにより、通信端末２０１側にＨＳ−ＳＣＣＨ信号を到達させることができ、通信端末２０１はＨＳ−ＤＰＣＣＨ信号を送信することが可能となる。したがって、以降の通信において無線通信装置１０１によるＨＳ−ＤＰＣＣＨ信号の受信に対する信頼性を向上させることが可能となる。
【００９６】
一方、現ＳＩＲ値が記憶ＳＩＲ値よりも所定値以上小さい場合には、上りリンクの伝送品質が劣化しているので、上りリンク伝送時の雑音等によりＡＣＫ／ＮＡＣＫ信号が不達となった可能性が高い。
【００９７】
そこで、このような場合は、電力制御切替部２８は上りリンク電力制御ビット生成部１８に上りリンク電力増加コマンドを生成するよう指示する。上りリンク電力制御ビット生成部１８は、上りリンク電力増加コマンドを生成する。
【００９８】
この上りリンク電力増加コマンドは、パイロット信号生成部１７が生成するパイロット信号や下りリンクＡ−ＤＰＣＨ符号化処理部１５が符号化処理した下りＡ−ＤＰＣＨデータとともに下りリンクＡ−ＤＰＣＨ変調処理部１６で変調される。下りリンクＡ−ＤＰＣＨ変調処理部１６で変調されたこれらの信号は、合成部２０でＨＳ−ＰＤＳＣＨ信号やＨＳ−ＳＣＣＨ信号と合成された後、通信端末２０１に向けて送信される。
【００９９】
通信端末２０１は、下りリンクＡ−ＤＰＣＨ信号を受信し、Ａ−ＤＰＣＨ信号内の上りリンク電力増加コマンドを検出すると、無線通信装置１０１へのＨＳ−ＤＰＣＣＨ信号の信号送信電力を増加させる。これにより、以降の通信において無線通信装置１０１によるＨＳ−ＤＰＣＣＨ信号の受信に対する信頼性を向上させることが可能となる。
【０１００】
なお、本実施の形態４においては、比較部５３が現ＳＩＲ値と記憶ＳＩＲ値を比較しているが、記憶ＳＩＲ値は直前に記憶した１つのＳＩＲ値であってもよいし、過去に記憶した所定数の（複数の）ＳＩＲ値の中の最小値であってもよい。また、記憶ＳＩＲ値は過去の複数のＳＩＲ値の平均値より所定値だけ小さな値としてもよい。また、記憶ＳＩＲ値はフェージングによるＳＩＲ値の時間変動を考慮して過去のＳＩＲ値の変動量から予測した値であってもよい。
【０１０１】
また、本実施の形態４においては、電力制御方法の切替え判定に用いるＳＩＲ値を上りリンクＡ−ＤＰＣＨ信号から求めているが、電力制御方法の切替え判定に用いるＳＩＲ値は上りリンクＡ−ＤＰＣＨ信号に限られず、ＨＳ−ＤＰＣＣＨ信号から算出したＳＩＲ値等を電力制御方法の切替え判定に用いることとしてもよい。
【０１０２】
このように実施の形態４によれば、無線通信装置１０１が所定のタイミングでＡＣＫ、ＮＡＣＫのいずれも受信しない場合に、ＳＩＲ値の変動量（現ＳＩＲ値と記憶ＳＩＲ値の差）に基づいて、適切な電力制御方法（ＨＳ−ＳＣＣＨ送信電力の増加または上りリンク電力増加コマンドを生成）を判断するので、無線通信装置１０１によるＨＳ−ＤＰＣＣＨ信号の受信の信頼性を向上させることが可能となる。これにより、無線通信装置１０１と通信端末２０１との間の通信を効率よく行うことが可能となる。
【０１０３】
実施の形態５．
つぎに、図７を用いてこの発明の実施の形態５について説明する。実施の形態５では、
無線通信装置１０１が通信端末２０１と通信を行う際に通信端末２０１から応答信号がない場合に、上りリンクの受信誤り率の変動に基づいて自らの装置の送信電力の制御行なうか、または通信端末２０１に送信電力の制御を行なわせるかの判断を行う。すなわち、無線通信装置１０１は、上りリンクの受信誤り率の変動に基づいて適切な電力制御方法を判断する。
【０１０４】
図７は、本発明の実施の形態５にかかる無線通信装置の構成を示すブロック図であり、図７の各構成要素のうち図２に示す実施の形態１の無線通信装置１０１と同一機能を達成する構成要素については同一番号を付しており、重複する説明は省略する。ここでの無線通信装置１０１は、実施の形態１の図２で説明した無線通信装置１０１が備える機能に加えて受信誤り率計算部（誤受信算出部）６１、メモリ（誤受信履歴記憶部）６２、比較部（誤受信値比較部）６３を備えている。
【０１０５】
受信誤り率計算部６１は、上りリンクＡ−ＤＰＣＨ復号処理部２２から出力されるＣＲＣ（Cyclic Redundancy Check）等に基づいて、上りリンクの受信誤り率を算出する。メモリ６２は、受信誤り率計算部６１が算出した受信誤り率の履歴（誤受信値履歴）を記憶する記憶手段である。比較部６３は、メモリ６２に記憶されている受信誤り率値（以下、記憶受信誤り率という）と受信誤り率計算部６１が算出した新たな（現時点での）受信誤り率（以下、現受信誤り率という）を比較する比較器である。
【０１０６】
つぎに、実施の形態５にかかる無線通信装置の動作処理手順について説明する。なお、ここでは、自らの装置の送信電力の制御行なうか、または通信端末２０１に送信電力の制御を行なわせるかの判断処理以外の動作手順は、実施の形態１と同様の処理を行うので実施の形態１と同様の動作手順についてはその説明を省略する。
【０１０７】
通信端末２０１は、無線通信装置１０１からのＨＳ−ＰＤＳＣＨサブフレーム受信の７．５スロット後に受信結果に応じてＡＣＫ／ＮＡＣＫのいずれかの応答信号を無線通信装置１０１に送出する。
【０１０８】
無線通信装置１０１は、通信端末２０１から上りリンクＡ−ＤＰＣＨ信号を受信するとこの上りリンクＡ−ＤＰＣＨ信号を上りリンクＡ−ＤＰＣＨ復調処理部２１で復調し上りリンクＡ−ＤＰＣＨ復号処理部２２に入力する。上りリンクＡ−ＤＰＣＨ復号処理部２２は、上りリンクＡ−ＤＰＣＨ復調処理部２１で復調されたＡ−ＤＰＣＨ信号を復号処理する。受信誤り率計算部６１は、上りリンクＡ−ＤＰＣＨ復号処理部２２から出力されるＣＲＣ等を用いて上りリンクの受信誤り率を算出する。受信誤り率計算部６１は、算出した受信誤り率をメモリ６２に入力しておく。メモリ６２は、受信誤り率計算部６１から入力される受信誤り率の履歴を記憶しておく。
【０１０９】
通信端末２０１は、無線通信装置１０１からのＨＳ−ＰＤＳＣＨサブフレーム受信の７．５スロット後に受信結果に応じてＡＣＫ／ＮＡＣＫのいずれかの応答信号を無線通信装置１０１に送出する。
【０１１０】
無線通信装置１０１が通信端末２０１にＨＳＤＰＡ制御データやＨＳＤＰＡパケットデータを送信したにもかかわらず、ＡＣＫ／ＮＡＣＫ／ＤＴＸ判定部２５が通信端末２０１からＡＣＫまたはＮＡＣＫを受信せずＤＴＸであると判断した場合には、この判断結果が電力制御切替部２８に入力される。電力制御切替部２８は、ＡＣＫ／ＮＡＣＫ／ＤＴＸ判定部２５がＤＴＸであると判断すると、この時点での受信誤り率を、受信誤り率計算部６１から比較部６３に入力させる。
【０１１１】
比較部６３は、受信誤り率計算部６１から入力された現受信誤り率と、メモリ６２がこれまでに記憶していた記憶受信誤り率とを比較し、この比較結果を電力制御切替部２８に入力する。また、受信誤り率計算部６１から比較部６３へ入力した受信誤り率はメモリ６２へ格納しておく。
【０１１２】
現受信誤り率と記憶受信誤り率の差が所定値以下の場合、または現受信誤り率が記憶受信誤り率よりも所定値以上小さい場合には、上りリンクの伝送品質は変化していないと考えられるので、下りリンクの伝送品質劣化によって通信端末２０１側にＨＳ−ＳＣＣＨ信号が到達していないと考えられる。
【０１１３】
そこで、このような場合は、ＨＳ−ＳＣＣＨ変調処理部１４に送信電力を増加させる設定とするよう電力制御切替部２８は送信電力制御部１９を制御する。送信電力制御部１９はＨＳ−ＳＣＣＨ変調処理部１４に送信電力を増加させる設定とさせる。ＨＳ−ＳＣＣＨ変調処理部１４は、送信電力を増加して通信端末２０１にＨＳ−ＳＣＣＨ信号を送信する。
【０１１４】
これにより、通信端末２０１側にＨＳ−ＳＣＣＨ信号を到達させることができ、通信端末２０１はＨＳ−ＤＰＣＣＨ信号を送信することが可能となる。したがって、以降の通信において無線通信装置１０１によるＨＳ−ＤＰＣＣＨ信号の受信に対する信頼性を向上させることが可能となる。
【０１１５】
一方、現受信誤り率が記憶受信誤り率よりも所定値以上大きい場合には、上りリンクの伝送品質が劣化しているので、上りリンク伝送時の雑音等によりＡＣＫ／ＮＡＣＫ信号が不達となった可能性が高い。
【０１１６】
そこで、このような場合は、電力制御切替部２８は上りリンク電力制御ビット生成部１８に上りリンク電力増加コマンドを生成するよう指示する。上りリンク電力制御ビット生成部１８は、上りリンク電力増加コマンドを生成する。
【０１１７】
この上りリンク電力増加コマンドは、パイロット信号生成部１７が生成するパイロット信号や下りリンクＡ−ＤＰＣＨ符号化処理部１５が符号化処理した下りＡ−ＤＰＣＨデータとともに下りリンクＡ−ＤＰＣＨ変調処理部１６で変調される。下りリンクＡ−ＤＰＣＨ変調処理部１６で変調されたこれらの信号は、合成部２０でＨＳ−ＰＤＳＣＨ信号やＨＳ−ＳＣＣＨ信号と合成された後、通信端末２０１に向けて送信される。
【０１１８】
通信端末２０１は、下りリンクＡ−ＤＰＣＨ信号を受信し、Ａ−ＤＰＣＨ信号内の上りリンク電力増加コマンドを検出すると、無線通信装置１０１へのＨＳ−ＤＰＣＣＨ信号の信号送信電力を増加させる。これにより、以降の通信において無線通信装置１０１によるＨＳ−ＤＰＣＣＨ信号の受信に対する信頼性を向上させることが可能となる。
【０１１９】
なお、本実施の形態５においては、比較部６３が現受信誤り率と記憶受信誤り率を比較しているが、記憶受信誤り率は直前に記憶した１つの受信誤り率であってもよいし、過去に記憶した所定数の（複数の）受信誤り率の中の最小値であってもよい。また、記憶受信誤り率は過去の複数の受信誤り率の平均値より所定値だけ小さな値としてもよい。また、記憶受信誤り率値はフェージングによる受信誤り率の時間変動を考慮して過去の受信誤り率の変動量から予測した値であってもよい。
【０１２０】
また、本実施の形態５においては、受信誤り率を上りリンク上りリンクＡ−ＤＰＣＨ復号処理部２２が出力するＣＲＣ等を用いて計算したが、これは本発明において本質的なものではなく、例えばパイロット信号を用いて受信誤り率を算出してもよい。
【０１２１】
また、本実施の形態５においては、受信誤り率の変動に基づいて適切な電力制御方法を判断しているが、受信誤り率の代わりに受信誤り個数を用いて適切な電力制御方法を判断してもよい。
【０１２２】
このように実施の形態５によれば、無線通信装置１０１が所定のタイミングでＡＣＫ、ＮＡＣＫのいずれも受信しない場合に、無線通信装置１０１が上りリンク受信誤り率の変動量に基づいて、適切な電力制御方法（ＨＳ−ＳＣＣＨ送信電力の増加または上りリンク電力増加コマンドを生成）を判断するので、無線通信装置１０１によるＨＳ−ＤＰＣＣＨ信号の受信の信頼性を向上させることが可能となる。これにより、無線通信装置１０１と通信端末２０１との間の通信を効率よく行うことが可能となる。
【０１２３】
実施の形態６．
つぎに、図８を用いてこの発明の実施の形態６について説明する。実施の形態６では、
無線通信装置１０１が通信端末２０１と通信を行う際に通信端末２０１から応答信号がない場合に、通信端末２０１から送出される下りリンク送信電力制御コマンドに基づいて自らの装置の送信電力の制御行なうか、または通信端末２０１に送信電力の制御を行なわせるかの判断を行う。すなわち、無線通信装置１０１は、通信端末２０１から受信した下りリンク送信電力制御コマンドに基づいて適切な電力制御方法を判断する。
【０１２４】
ここでの下りリンク送信電力制御コマンドは、無線通信装置１０１から通信端末２０１へデータを送信する際の送信電力（下りリンクＡ−ＤＰＣＨ等）を制御するための命令に関する情報であり、送信電力制御部１９はこの下りリンク送信電力制御コマンドのコマンド値に基づいて下りリンクＡ−ＤＰＣＨの電力制御を行なう。
【０１２５】
図８は、本発明の実施の形態６にかかる無線通信装置の構成を示すブロック図であり、図８の各構成要素のうち図２に示す実施の形態１の無線通信装置１０１と同一機能を達成する構成要素については同一番号を付しており、重複する説明は省略する。ここでの無線通信装置１０１は、実施の形態１の図２で説明した無線通信装置１０１が備える機能に加えてコマンド抽出部（制御指示抽出部）７１を備えている。
【０１２６】
コマンド抽出部７１は、上りリンクＡ−ＤＰＣＨ復調処理部２１で復調されたＡ−ＤＰＣＨ信号に含まれる下りリンク送信電力制御コマンドを抽出し、抽出した下りリンク送信電力制御コマンドを送信電力制御部１９に入力する。
【０１２７】
つぎに、実施の形態６にかかる無線通信装置の動作処理手順について説明する。なお、ここでは、自らの装置の送信電力の制御行なうか、または通信端末２０１に送信電力の制御を行なわせるかの判断処理以外の動作手順は、実施の形態１と同様の処理を行うので実施の形態１と同様の動作手順についてはその説明を省略する。
【０１２８】
無線通信装置１０１は、通信端末２０１から上りリンクＡ−ＤＰＣＨ信号を受信すると、この上りリンクＡ−ＤＰＣＨ信号を上りリンクＡ−ＤＰＣＨ復調処理部２１で復調し、コマンド抽出部７１に入力する。
【０１２９】
コマンド抽出部７１は、上りリンクＡ−ＤＰＣＨ復調処理部２１で復調されたＡ−ＤＰＣＨ信号に含まれる下りリンク送信電力制御コマンドを抽出し、抽出した下りリンク送信電力制御コマンドを送信電力制御部１９に入力する。送信電力制御部１９は、この下りリンク送信電力制御コマンドのコマンド値に基づいて下りリンクＡ−ＤＰＣＨの電力制御を行なう。
【０１３０】
通信端末２０１は、無線通信装置１０１からのＨＳ−ＰＤＳＣＨサブフレーム受信の７．５スロット後に受信結果に応じてＡＣＫ／ＮＡＣＫのいずれかの応答信号を無線通信装置１０１に送出する。
【０１３１】
無線通信装置１０１が通信端末２０１にＨＳＤＰＡ制御データやＨＳＤＰＡパケットデータを送信したにもかかわらず、ＡＣＫ／ＮＡＣＫ／ＤＴＸ判定部２５が通信端末２０１からＡＣＫまたはＮＡＣＫを受信せずＤＴＸであると判断した場合には、この判断結果が電力制御切替部２８に入力される。電力制御切替部２８は、ＡＣＫ／ＮＡＣＫ／ＤＴＸ判定部２５がＤＴＸであると判断すると、ＡＣＫ、ＮＡＣＫを受信する予定の前後の所定のタイミングで受信した、下りリンク送信電力制御コマンドの内容の判定結果をコマンド抽出部７１から電力制御切替部２８に通知させる。
【０１３２】
コマンド抽出部７１は、下りリンク送信電力制御コマンドの内容が送信電力の増加または減少のいずれの要求を行っているかを判定し、判定結果を電力制御切替部２８に通知する。
【０１３３】
下りリンク送信電力制御コマンドの内容が下りリンク送信電力の減少の要求を示す場合、下りリンクの伝送品質は良好であると考えられるので、上りリンク伝送時の雑音等によってＡＣＫ／ＮＡＣＫ信号が不達となった可能性が高い。
【０１３４】
そこで、このような場合は、電力制御切替部２８は上りリンク電力制御ビット生成部１８に上りリンク電力増加コマンドを生成するよう指示する。上りリンク電力制御ビット生成部１８は、上りリンク電力増加コマンドを生成する。
【０１３５】
この上りリンク電力増加コマンドは、パイロット信号生成部１７が生成するパイロット信号や下りリンクＡ−ＤＰＣＨ符号化処理部１５が符号化処理した下りＡ−ＤＰＣＨデータとともに下りリンクＡ−ＤＰＣＨ変調処理部１６で変調される。下りリンクＡ−ＤＰＣＨ変調処理部１６で変調されたこれらの信号は、合成部２０でＨＳ−ＰＤＳＣＨ信号やＨＳ−ＳＣＣＨ信号と合成された後、通信端末２０１に向けて送信される。
【０１３６】
通信端末２０１は、下りリンクＡ−ＤＰＣＨ信号を受信し、Ａ−ＤＰＣＨ信号内の上りリンク電力増加コマンドを検出すると、無線通信装置１０１へのＨＳ−ＤＰＣＣＨ信号の信号送信電力を増加させる。これにより、以降の通信において無線通信装置１０１によるＨＳ−ＤＰＣＣＨ信号の受信に対する信頼性を向上させることが可能となる。
【０１３７】
一方、下りリンク送信電力制御コマンドの内容が下りリンク送信電力の増加の要求を示す場合、下りリンクの伝送品質が劣化しているために通信端末２０１側にＨＳ−ＳＣＣＨ信号が到達していないと考えられる。
【０１３８】
そこで、このような場合は、ＨＳ−ＳＣＣＨ変調処理部１４に送信電力を増加させる設定とするよう電力制御切替部２８は送信電力制御部１９を制御する。送信電力制御部１９はＨＳ−ＳＣＣＨ変調処理部１４に送信電力を増加させる設定とさせる。ＨＳ−ＳＣＣＨ変調処理部１４は、送信電力を増加して通信端末２０１にＨＳ−ＳＣＣＨ信号を送信する。
【０１３９】
これにより、通信端末２０１側にＨＳ−ＳＣＣＨ信号を到達させることができ、通信端末２０１はＨＳ−ＤＰＣＣＨ信号を送信することが可能となる。したがって、以降の通信において無線通信装置１０１によるＨＳ−ＤＰＣＣＨ信号の受信に対する信頼性を向上させることが可能となる。
【０１４０】
なお、本実施の形態６では、下りリンク送信電力制御コマンドが下りリンク送信電力減少の要求を行っている場合に上りリンク電力増加コマンドを生成するよう制御し、逆に下りリンク送信電力増加の要求を行っている場合にＨＳ−ＳＣＣＨ送信電力を増加させるよう制御しているが、どちらか片方のみの制御であってもよい。すなわち、下りリンク送信電力制御コマンドが下りリンク送信電力減少の要求を行っている場合には上りリンク電力増加コマンドを発生するよう制御し、それ以外の場合には何も行わないようにしてもよい。あるいは逆に、下りリンク送信電力制御コマンドが下りリンク送信電力増加の要求を行っている場合には、ＨＳ−ＳＣＣＨ送信電力を増加させるよう制御し、それ以外の場合には何も行わないようにしてもよい。
【０１４１】
このように実施の形態６によれば、無線通信装置１０１が所定のタイミングでＡＣＫ、ＮＡＣＫのいずれも受信しない場合に、所定のタイミングで受信した通信端末２０１からの下りリンク送信電力制御コマンドの内容に基づいて、適切な電力制御方法（ＨＳ−ＳＣＣＨ送信電力の増加または上りリンク電力増加コマンドを生成）を判断するので、無線通信装置１０１によるＨＳ−ＤＰＣＣＨ信号の受信の信頼性を向上させることが可能となる。これにより、無線通信装置１０１と通信端末２０１との間の通信を効率よく行うことが可能となる。
【０１４２】
実施の形態７．
つぎに、図９を用いてこの発明の実施の形態７について説明する。これまで説明してきた実施の形態１〜６では、無線通信装置１０１が適切な電力制御方法を判断するものであったが、本実施の形態７では通信端末２０１側で適切な電力制御を行う。
【０１４３】
図９は、本発明の実施の形態７にかかる無線通信装置の構成を示すブロック図である。
通信端末２０１は、ＣＰＩＣＨ復調処理部８１、ＳＩＲ計算部８２、Ａ−ＤＰＣＨ復調処理部８３、Ａ−ＤＰＣＨ復号処理部８４、ＨＳ−ＳＣＣＨ復調処理部８５、ＨＳ−ＳＣＣＨ復号処理部８６、ＨＳ−ＰＤＳＣＨ復調処理部８７、再送合成処理部８８、ＨＳ−ＰＤＳＣＨ復号処理部８９、受信誤り検出部９０、ＡＣＫ／ＮＡＣＫ信号生成部９１、ＡＣＫ／ＮＡＣＫ符号化処理部９２、ＣＱＩ信号生成部９３、ＣＱＩ符号化処理部９４、ＨＳ−ＤＰＣＣＨ変調処理部９５、冗長再送確認部（再送信検出部）９６、送信電力制御部（制御部）９７を備えている。
【０１４４】
ＣＰＩＣＨ復調処理部８１は、下りリンクパイロットチャネルであるＣＰＩＣＨ（Common Pilot Channel）を復調処理する。ＳＩＲ計算部８２は、ＣＰＩＣＨ復調処理部８１からのＣＰＩＣＨ信号に基づいて下りリンクの品質測定を行い、測定結果をＣＱＩ信号生成部９３に入力する。
【０１４５】
Ａ−ＤＰＣＨ復調処理部８３は、無線通信装置１０１からの下りＡ−ＤＰＣＨ上の下りＡ−ＤＰＣＨデータを復調処理する。Ａ−ＤＰＣＨ復号処理部８４は、Ａ−ＤＰＣＨ復調処理部８３からの復調されたＡ−ＤＰＣＨデータを復号処理する。
【０１４６】
ＨＳ−ＳＣＣＨ復調処理部８５は、無線通信装置１０１からのＨＳＤＰＡ制御データを復調処理する。ＨＳ−ＳＣＣＨ復号処理部８６は、ＨＳ−ＳＣＣＨ復調処理部８５からの復調されたＨＳＤＰＡ制御データを復号処理する。ＨＳ−ＳＣＣＨ復号処理部８６は、復号処理したＨＳＤＰＡ制御データをＨＳ−ＰＤＳＣＨ復調処理部８７、再送合成処理部８８、ＨＳ−ＰＤＳＣＨ復号処理部８９に入力する。
【０１４７】
ＨＳ−ＰＤＳＣＨ復調処理部８７は、無線通信装置１０１からのＨＳＤＰＡパケットデータを復調処理する。再送合成処理部８８は、利得向上のために初送パケットと再送パケットを合成する。ＨＳ−ＰＤＳＣＨ復号処理部８９は、８８において合成された後のパケットを復号処理する。
【０１４８】
受信誤り検出部９０は、ＨＳ−ＰＤＳＣＨ復号処理部８９が復号処理したパケットの受信誤りを検出して検出結果をＣＱＩ信号生成部９３に入力するとともに、ＨＳ−ＰＤＳＣＨ復号処理部８９が復号処理したパケットのうち受信誤りのなかったパケットを冗長再送確認部９６に入力する。
【０１４９】
ＡＣＫ／ＮＡＣＫ信号生成部９１は、受信誤り検出部９０によるパケットの誤りの検出結果に基づいて、ＡＣＫ信号またはＮＡＣＫ信号を生成する。ＡＣＫ／ＮＡＣＫ符号化処理部９２は、ＡＣＫ／ＮＡＣＫ信号生成部９１で生成されたＡＣＫ／ＮＡＣＫ信号を符号化処理する。
【０１５０】
ＣＱＩ信号生成部９３は、ＳＩＲ計算部８２によって測定された下りリンク品質に基づいてＣＱＩ信号を生成する。ＣＱＩ符号化処理部９４は、ＣＱＩ信号生成部９３で生成されたＣＱＩを符号化処理する。
【０１５１】
ＨＳ−ＤＰＣＣＨ変調処理部９５は、ＡＣＫ／ＮＡＣＫ符号化処理部９２、ＣＱＩ信号生成部９３で符号化処理されたＡＣＫ／ＮＡＣＫ信号やＣＱＩを変調処理して無線通信装置１０１に送信する。
【０１５２】
冗長再送確認部９６は、受信誤り検出部９０から送られるパケットに基づいて、不要な再送パケットが送られてきていないかを確認（判断）する。送信電力制御部９７は、冗長再送確認部９６の判断結果に基づいてＨＳ−ＤＰＣＣＨ変調処理部９５が無線通信装置１０１に信号を送信する際の送信電力を制御する。
【０１５３】
つぎに、実施の形態７にかかる通信端末２０１の動作処理手順について説明する。通信端末２０１は、無線通信装置１０１からＨＳＤＰＡ制御データを受信すると、ＨＳ−ＳＣＣＨ復調処理部８５がＨＳＤＰＡ制御データを復調処理する。ＨＳ−ＳＣＣＨ復号処理部８６は、ＨＳ−ＳＣＣＨ復調処理部８５からの復調されたＨＳＤＰＡ制御データを復号処理する。ＨＳ−ＳＣＣＨ復号処理部８６は、復号処理したＨＳＤＰＡ制御データ内のＨＳＤＰＡ制御パラメータをＨＳ−ＰＤＳＣＨ復調処理部８７、再送合成処理部８８、ＨＳ−ＰＤＳＣＨ復号処理部８９に入力する。
【０１５４】
ＨＳ−ＰＤＳＣＨ復調処理部８７、再送合成処理部８８、ＨＳ−ＰＤＳＣＨ復号処理部８９は、ＨＳ−ＳＣＣＨ復号処理部８６からのＨＳＤＰＡ制御パラメータに基づいて、ＨＳＤＰＡパケットデータの復調及び復号を行なう。
【０１５５】
ＨＳ−ＰＤＳＣＨ復号処理部８９で復号されたＨＳＤＰＡパケットデータは、受信誤り検出部９０によって受信誤りの有無が判断される。受信誤り検出部９０は、この判断結果をＡＣＫ／ＮＡＣＫ信号生成部９１に入力するとともに、ＨＳ−ＰＤＳＣＨ復号処理部８９が復号処理したパケットのうち受信誤りのなかったパケットを冗長再送確認部９６に入力する。ＡＣＫ／ＮＡＣＫ信号生成部９１は、受信誤り検出部９０からの判断結果に応じてＡＣＫ信号またはＮＡＣＫ信号を生成する。
【０１５６】
また、冗長再送確認部９６は受信誤り検出部９０から送られる受信誤りなしと判定されたパケットデータに対して、すでに同一のパケットデータを受信済みであるか否かをチェックする。冗長再送確認部９６は、このチェック結果を送信電力制御部９７に入力する。
【０１５７】
冗長再送確認部９６がすでに同一のパケットデータを受信済みであると判断した場合、通信端末２０１か無線通信装置１０１に向けてＡＣＫ信号を送出したにもかかわらず、無線通信装置１０１からデータの再送が行われてしまったと考えられる。換言すると、通信端末２０１からのＡＣＫ信号が上りリンク伝送品質劣化によって無線通信装置１０１に正しく伝達されていないと考えられる。
【０１５８】
そこで、このような場合には、送信電力制御部９７は上りリンク送信電力を上げるようＨＳ−ＤＰＣＣＨ変調処理部９５を制御する。ＨＳ−ＤＰＣＣＨ変調処理部９５は、送信電力を増加して無線通信装置１０１にデータを送信する。
【０１５９】
このように実施の形態７によれば、通信端末２０１が、すでに受信済みのパケットと同一のパケットを無線通信装置１０１から再受信した場合（無線通信装置１０１が同一のパケットを再送信してきた場合）に、通信端末２０１から送信するＡＣＫ信号の信頼度を高めるよう上りリンク送信電力の制御を行うようにしたので、通信端末２０１から無線通信装置１０１に再送信するデータの信頼性を向上させることができ、通信のスループットを向上させることが可能となる。これにより、無線通信装置１０１と通信端末２０１との間の通信を効率よく行うことが可能となる。
【０１６０】
なお、これまで説明してきた実施の形態１〜７では、ＨＳＤＰＡへの適用を考慮して、下りリンクパケットデータ伝送に対するＡＣＫ／ＮＡＣＫ情報を上りリンクによって伝送する場合について説明してきたが、本発明はこれに限定されるものではなく、例えば上りリンクパケットデータ伝送に対するＡＣＫ／ＮＡＣＫ情報を下りリンクによって伝送する場合に適用してもよい。
【０１６１】
また、これまで説明してきた実施の形態１〜７の構成や動作をいくつか組み合わせてもよい。例えば、無線通信装置１０１が所定のタイミングでＡＣＫ／ＮＡＣＫのいずれも受信しない場合に、現受信誤り率と記憶受信誤り率を比較して所定値以上の差がなければ、無線通信装置１０１においてＨＳ−ＳＣＣＨ送信電力を増加させるよう制御し、下りリンク送信電力制御コマンドが下りリンク送信電力減少の要求を行っている場合には上りリンク電力増加コマンドを生成するよう制御する。
【産業上の利用可能性】
【０１６２】
以上のように、本発明にかかる無線通信装置および通信端末は、通信時の送信電力制御に適している。
【図面の簡単な説明】
【０１６３】
【図１】本発明にかかる無線通信装置と通信端末の間で行なう通信を説明するための図である。
【図２】実施の形態１にかかる無線通信装置の構成を示すブロック図である。
【図３】実施の形態２にかかる無線通信装置の構成を示すブロック図である。
【図４】実施の形態３にかかる無線通信装置の構成を示すブロック図である。
【図５】ＡＣＫ／ＮＡＣＫ信号の出力レベルの判定を説明するための図である。
【図６】実施の形態４にかかる無線通信装置の構成を示すブロック図である。
【図７】実施の形態５にかかる無線通信装置の構成を示すブロック図である。
【図８】実施の形態６にかかる無線通信装置の構成を示すブロック図である。
【図９】実施の形態７にかかる無線通信装置の構成を示すブロック図である。
【符号の説明】
【０１６４】
１１  ＨＳ−ＰＤＳＣＨ符号化処理部
１２  ＨＳ−ＰＤＳＣＨ変調処理部
１３  ＨＳ−ＳＣＣＨ符号化処理部
１４  ＨＳ−ＳＣＣＨ変調処理部
１５  下りリンクＡ−ＤＰＣＨ符号化処理部
１６  下りリンクＡ−ＤＰＣＨ変調処理部
１７  パイロット信号生成部
１８  上りリンク電力制御ビット生成部
１９  送信電力制御部
２０  合成部
２１  上りリンクＡ−ＤＰＣＨ復調処理部
２２  上りリンクＡ−ＤＰＣＨ復号処理部
２３  ＨＳ−ＤＰＣＣＨ復調処理部
２４  ＡＣＫ／ＮＡＣＫ復号処理部
２５  ＡＣＫ／ＮＡＣＫ／ＤＴＸ判定部
２６  ＣＱＩ復号処理部
２７  ＣＱＩ／ＤＴＸ判定部
２８  電力制御切替部
３０，５３，６３  比較部
３１，５２，６２  メモリ
４１  閾値判定部
５１  ＳＩＲ値算出部
６１  受信誤り率計算部
７１  コマンド抽出部
８１  ＣＰＩＣＨ復調処理部
８２  ＳＩＲ計算部
８３  Ａ−ＤＰＣＨ復調処理部
８４  Ａ−ＤＰＣＨ復号処理部
８５  ＨＳ−ＳＣＣＨ復調処理部
８６  ＨＳ−ＳＣＣＨ復号処理部
８７  ＨＳ−ＰＤＳＣＨ復調処理部
８８  再送合成処理部
８９  ＨＳ−ＰＤＳＣＨ復号処理部
９０  受信誤り検出部
９１  ＡＣＫ／ＮＡＣＫ信号生成部
９２  ＡＣＫ／ＮＡＣＫ符号化処理部
９３  ＣＱＩ信号生成部
９４  ＣＱＩ符号化処理部
９５  ＨＳ−ＤＰＣＣＨ変調処理部
９６  冗長再送確認部
９７  送信電力制御部
１０１  無線通信装置
２０１  通信端末
【図１】
2006262357.tif 000003
【図２】
2006262357.tif 000004
【図３】
2006262357.tif 000005
【図４】
2006262357.tif 000006
【図５】
2006262357.tif 000007
【図６】
2006262357.tif 000008
【図７】
2006262357.tif 000009
【図８】
2006262357.tif 000010
【図９】
2006262357.tif 000011